(57)【要約】【課題】  マイクロコンピュータの起動時にコマ送り処理やリワインド処理を行なうカメラに、フイルムパトローネ，乾電池の順に装填した際に、フイルムパトローネが使用不能になるのを防止する。【解決手段】  乾電池３２ａ，３２ｂが装填される電池室３４内に、第１電池当接部５４ａ，第２電池当接部５５ａを突出させる。乾電池３２ａ，３２ｂが装填されていない時には、第１電池当接部５４ａ，第２電池当接部５５ａと一体に形成された第１裏蓋当接部，第２裏蓋当接部が、裏蓋２６の第１当接ピン６６ａ，第２当接ピン６６ｂに当接して、裏蓋２６が閉じられるのを阻止する。電池室３４に乾電池３２ａ，３２ｂが装填されると、乾電池３２ａ，３２ｂによって第１電池当接部５４ａ，第２電池当接部５５ａが押圧され、第１裏蓋当接部，第２裏蓋当接部が第１当接ピン６６ａ，第２当接ピン６６ｂに当接しない位置に移動するため、裏蓋２６を閉じることができる。【選択図】        図２
2005189419.tif 000002
【特許請求の範囲】
【請求項１】
パトローネが装填されるパトローネ室と、パトローネ室を開放する開き位置と閉鎖する閉じ位置との間で移動自在とされた裏蓋と、電池が装填される電池室とを備えたカメラにおいて、
前記電池室への電池の装填の有無を検出し、電池室に電池が装填されていないときには裏蓋が閉じられないようにすることを特徴とするカメラの裏蓋閉鎖防止装置。
【請求項２】
前記電池室内に突出される突出位置と、電池が装填された際に該電池に押圧されて電池室内から退避する退避位置との間で移動自在とされた電池当接部と、この電池当接部に連動され、電池当接部材が突出位置にあるときに裏蓋に当接して閉じ位置への移動を阻止する閉鎖防止位置と、電池当接部が退避位置にあるときに裏蓋当接位置から退避して裏蓋の閉じ位置への移動を許容する閉鎖許容位置との間で移動自在とされた裏蓋当接部とを設けたことを特徴とする請求項１記載のカメラの裏蓋閉鎖防止装置。
【請求項３】
前記電池当接部と裏蓋当接部とを一体に形成したことを特徴とする請求項２記載のカメラの裏蓋閉鎖防止装置。
【請求項４】
前記電池当接部及び裏蓋当接部を電池室に装填される電池の数と同数だけ設けたことを特徴とする請求項２又は３記載のカメラの裏蓋閉鎖防止装置。
【発明の詳細な説明】
【技術分野】
【０００１】
本発明は、カメラに関し、更に詳しくは、マイクロコンピュータの起動時にリワインド処理やコマ送り処理を行なうカメラの裏蓋閉鎖防止装置に関するものである。
【背景技術】
【０００２】
パトローネ室に装填されたフイルムパトローネから写真フイルムを引き出し、フイルムロール室に巻き上げ、最初に撮影が行なわれるコマを撮影位置にセットするフイルムセット処理と、撮影操作に連動して１コマ分の写真フイルムを自動的に巻き上げるコマ送り処理と、全てのコマへの撮影が終了した後に写真フイルムをパトローネ内に巻き戻すリワインド処理とを行なうフイルム給送機構を備えたカメラが知られている。また、フイルムセット処理として、フイルムパトローネから写真フイルムを全て引き出してフイルムロール室内に巻き上げ、最初に撮影が行われるコマを撮影位置にセットする予備巻き処理を行ない、撮影毎に撮影済みの写真フイルムをパトローネ内に巻き戻していく、いわゆるプレワインド方式のフイルム給送機構を備えたカメラも知られている。
【０００３】
現在販売されているカメラの多くは、フイルム給送機構や露出機構等の制御にマイクロコンピュータを使用している。マイクロコンピュータは、カメラの各所に設けられたスイッチやセンサー等によってカメラの動作状態を把握し、新しいフイルムパトローネが装填された場合にはフイルムセット処理（予備巻き処置）を、１コマの撮影が完了した時にはコマ送り処理を、全ての写真フイルムへの撮影が終了した時にはリワインド処理をフイルム給送機構に実行させる。
【０００４】
マイクロコンピュータは、演算処理を行なうＣＰＵや、プログラムや設定データを記憶するＲＯＭ，フイルム装填の有無や、撮影途中，撮影完了等の動作状態データ等が適宜記録されるＲＡＭ等からなる。安価なカメラでは、マイクロコンピュータとフイルム給送機構等との電源電池を供用させているため、電池の交換時にマイクロコンピュータがリセットされてしまう。また、給送モータの駆動による電圧低下、電気的なノイズ等によってマイクロコンピュータがリセットされることもある。
【０００５】
マイクロコンピュータがリセットされるとＲＡＭ内の情報データが失われるため、再起動後のカメラは現在の動作状態が不明となる。このように、動作状態が不明な状態で再起動した際に、何も動作を行なわないカメラや、予備巻き処理を行なうカメラ、リワインド処理を行なうカメラ、コマ送り処理を行なうカメラ等が従来発明されている（例えば、特許文献１参照）。
【０００６】
【特許文献１】特開平０５−３４１３６６号公報
【発明の開示】
【発明が解決しようとする課題】
【０００７】
しかしながら、再起動後に何もしないカメラでは、最後に撮影が行なわれたコマに二重露光が発生する確率が高い。また、フイルムが未装填であると勘違いしやすくなるため、裏蓋が開放されるなどの誤操作が発生しやすくなる。更に、再起動後に予備巻き処理を行なうカメラでは、先頭コマから再度撮影が行なわれるため、多数のコマにわたって二重露光が発生してしまう。
【０００８】
また、プレワインド方式のカメラにおいて、フイルムパトローネの装填直後にマイクロコンピュータがリセットし、再起動後にリワインド処理やコマ送り処理が実行されると、未使用の写真フイルムが全てパトローネ内に巻き戻されて使用不能となる。特に、販売時の未使用カメラは、消耗を防ぐために電池が装填されていないため、カメラにフイルムパトローネ，電池の順に装填を行なうと、同様の問題が発生する。これらの問題は、カメラの状態データをＥＥＰＲＯＭ等の不揮発性メモリを書き込むことで解決することができる。しかしながら、ＥＥＰＲＯＭ等の不揮発性メモリは高価であり、カメラがコストアップしてしまう。
【０００９】
本発明は、上記問題点を解決するためのもので、マイクロコンピュータの起動後の処理によって写真フイルムが無駄になることのないカメラを提供することを目的とする。
【課題を解決するための手段】
【００１０】
上記問題点を解決するために、本発明のカメラの裏蓋閉鎖防止装置は、電池室への電池の装填の有無を検出し、電池室に電池が装填されていないときには裏蓋が閉じられないようにしたものである。
【００１１】
また、電池室内に突出される突出位置と、電池が装填された際に該電池に押圧されて電池室内から退避する退避位置との間で移動自在とされた電池当接部と、この電池当接部が突出位置にあるときに裏蓋に当接して閉じ位置への移動を阻止する閉鎖防止位置と、該電池当接部が退避位置にあるときに裏蓋当接位置から退避して裏蓋の閉じ位置への移動を許容する閉鎖許容位置との間で移動自在とされた裏蓋当接部とを設けたものである。
【００１２】
更に、電池当接部と裏蓋当接部とを一体に形成したものである。また、電池当接部及び裏蓋当接部を電池室に装填される電池の数と同数だけ設けたものである。
【発明の効果】
【００１３】
本発明のカメラの裏蓋閉鎖防止装置によれば、電池が装填された後でなければ裏蓋を閉じることができないので、未使用のカメラにフイルムパトローネ，電池の順に装填が行なわれるのを防止することができる。
【００１４】
また、電池装填の検出と裏蓋閉鎖防止とを、電池と裏蓋とに接触する電池当接部及び裏蓋当接部とによって行なうようにしたので、構成及び動作を簡略化することができ、ローコストで信頼性の高い装置を提供することができる。更に、電池当接部と裏蓋当接部とを一体に設けたので、部品点数及び組込スペースを縮小することができ、カメラのローコスト化及び小型化に寄与することができる。また、電池当接部と裏蓋当接部とを電池の装填数に合わせて設けるようにしたので、電池が１本だけ装填されることによって裏蓋が閉じられるようになることはない。更に、ＥＥＰＲＯＭ等の高価な不揮発性メモリを使用しなくても、カメラの状態に応じた動作を行なわせることができる。
【発明を実施するための最良の形態】
【００１５】
図１及び図２は、本発明を実施したカメラ２の外観形状を示す正面側斜視図及び背面側斜視図である。カメラ２の前面には、写真フイルムに被写体像を結像する撮影レンズ３と、ファインダ光学系の対物側レンズ４を露呈させるファインダ対物窓５と、被写体に向けてストロボ光を照射するストロボ発光部６とが設けられている。また、カメラ２を操作する操作部材として、ストロボの発光及び非発光を切り換えるストロボ操作部材７と、撮影レンズ３の前方に挿脱されるレンズバリアを操作するレンズバリア操作部材８とが設けられている。
【００１６】
カメラ２の上面には、シャッタレリーズ時に操作されるシャッタボタン１１と、ストロボ回路の充電状態を表示する充電完了表示窓１２と、写真フイルムの残り撮影枚数を表示する撮影枚数表示窓１３とが設けられている。また、カメラ２の背面には、ファインダ光学系の接眼側レンズ１５を露呈させるファインダ接眼窓１６と、フイルムパトローネ１８が装填されるパトローネ室２０と、パトローネ２１から引き出された写真フイルム２２が巻き取られるフイルムロール室２４と、写真フイルム２２への露光範囲を確定するアパーチャー２５と、これらを開閉する裏蓋２６とが設けられている。
【００１７】
更に、カメラ２の一方の側面には、閉じ位置でロックされている裏蓋２６のロック解除を行なう際に、下方のロック位置から上方の解除位置に向けてスライド操作されるロック操作部材２９と、フイルムロール室２４内の写真フイルム２２をパトローネ２１内に強制的に巻き戻す際に使用される、巻戻し操作部材３０とが設けられている。カメラ２の底面には、カメラ２の電源となる乾電池（例えば、単４サイズが２本）３２ａ，３２ｂが装填される電池室３４と、この電池室３４を開閉する電池蓋３５とが設けられている。
【００１８】
このカメラ２には、１３５タイプのフイルムパトローネ１８が装填される。フイルムパトローネ１８は、パトローネ２１と写真フイルム２２とからなる。パトローネ２１は、円筒形状のパトローネ本体２１ａと、その中に回転自在に収納されるスプール２１ｂとからなる。写真フイルム２２は、製品状態のパッケージ（図示せず）から取り出されたときに、パトローネ本体２１ａの側面に形成されたスリット状の開口部２１ｃから先端のリーダー部２２ａが引き出された状態となっている。
【００１９】
カメラ２は、プレワインド方式のカメラである。裏蓋２６を開放してパトローネ室２０にフイルムパトローネ１８を装填し、再び裏蓋２６を閉じると、内蔵されたフイルム給送機構が自動的に作動して「予備巻き処理」が実行される。「予備巻き処理」では、パトローネ２１内の写真フイルム２２がフイルムロール室２４内に全て巻き取られ、最初に露光されるコマが撮影位置にセットされる。また、撮影後にはフイルム給送機構が自動的に作動して「コマ送り処理」が実行される。この「コマ送り処理」は、撮影済みの１コマをパトローネ２１内に巻き戻し、新しいコマを撮影位置にセットする。写真フイルム２２の全てのコマへの撮影が終了すると、やはりフイルム給送機構が自動的に作動し、写真フイルム２２を全てパトローネ２１内に巻き戻す「リワインド処理」が実行される。
【００２０】
また、このカメラ２は、電源スイッチを備えていない。そのため、カメラ２の不使用時には省電力なスタンバイモードにセットされ、ロック操作部材２９や巻戻し操作部材３０，シャッタボタン１１等が操作された時に、スタンバイモードが解除されて撮影動作が行なわれる。
【００２１】
図３は、カメラ２の構成を示す分解斜視図である。カメラ２は、フイルムパトローネ１８が装填され、各種撮影機能部品が取り付けられる本体基部３８と、この本体基部３８に取り付けられる各種撮影機能部品と、本体基部３８の下部に取り付けられて電池室３４を構成する電池ボックス３９と、本体基部３８の前面，上面，側面を覆う外装カバーである前カバー４０と、本体基部３８の上面及び背面上部とを覆う後カバー４１と、本体基部３８の背面に回動自在に取り付けられてパトローネ室２０等を開閉する裏蓋２６と、本体基部３８の下面に回動自在に取り付けられて電池室３４を開閉する電池蓋３５等から構成されている。
【００２２】
本体基部３８の外観斜視図である図４に示すように、本体基部３８は、円筒形状のパトローネ室２０及びフイルムロール室２４と、これらの間に配置された遮光筒４４とがプラスチックによって一体に形成されたものである。この本体基部３８の前面及び上面には、撮影レンズ３や、シャッタ羽根を含むシャッタ機構，パトローネ室２０とフイルムロール室２４との間で写真フイルム２２を給送するフイルム給送機構，ファインダ光学系，ストロボ発光部とストロボ回路とを含むストロボ装置，カメラ２の各部を制御するマイクロコンピュータが取り付けられた回路基板４５等が取り付けられる。
【００２３】
図２に示すように、裏蓋２６は、本体基部３８の背面を覆う背面部２６ａと、パトローネ室２０の底面を覆う底面部２６ｂとを有しており、本体基部３８に対して一端のヒンジ部２６ｃを介して回動自在に軸支される。裏蓋２６の内面で、本体基部３８のアパーチャー２５に対面する位置には、写真フイルム２２の背面を支持するフイルム支持部２６ｄが形成されている。
【００２４】
パトローネ室２０とフイルムロール室２４とアパーチャー２５との上部と、フイルムロール室２４とアパーチャー２５との下部には、溝状の凹部４７，４８が形成されている。また、裏蓋２６のフイルム支持部２６ｄの上下には、裏蓋２６を閉じたときに本体基部３８の凹部４７，４８に挿入される突条２６ｅ，２６ｆがそれぞれ形成されている。本体基部３８の背面は、これらの凹部４７，４８と突条２６ｅ，２６ｆとの嵌合によって光密に遮光される。
【００２５】
パトローネ室２０とフイルムロール室２４との中には、フイルム給送機構を構成するスプール駆動軸５０とフイルム巻取り軸５１とが組み込まれている。スプール駆動軸５０は、フイルムパトローネ１８のスプール２１ｂに係合し、パトローネ２１内に写真フイルム２２を巻き戻す「コマ送り処理」及び「リワインド処理」時に回転駆動される。フイルム巻取り軸５１は、外周に写真フイルム２２のリーダー部２２ａを係止し、パトローネ２１から写真フイルム２２を巻き取る「予備巻き処理」時に回転される。スプール駆動軸５０とフイルム巻取り軸５１は、フイルム巻取り軸５１内に組み込まれた給送モータによって回転駆動される。
【００２６】
電池室３４の長手方向の側面には、乾電池３２ａ，３２ｂの電極に接触して回路基板４５と電気的に接続させる金属接片５３ａ，５３ｂが組み込まれている。また、電池室３４の上面には、電池室３４内に装填された乾電池３２ａ，３２ｂの外周面に当接する第１電池当接部５４ａと第２電池当接部５５ａとが、電池室３４内に突出されている。これらの第１電池当接部５４ａ及び第２電池当接部５５ａは、上下方向において移動自在とされており、電池室３４に乾電池３２ａ，３２ｂが装填された際に、乾電池３２ａ，３２ｂに押圧されて上方に移動する。
【００２７】
図４に示すように、電池ボックス３９の上面には、電池室３４への乾電池３２ａ，３２ｂの装填を検出し、乾電池３２ａ，３２ｂが装填されていないときには裏蓋２６が閉じられないようにする、裏蓋閉鎖防止装置５７が組み込まれている。なお、電池ボックス３９上の円筒形状の部品３９ｄは、フイルムロール室２４内のフイルム巻取り軸５１内に組み込まれた給送モータの端部を保持する保持部材であり、電池ボックス３９と一体に形成されている。
【００２８】
裏蓋閉鎖防止装置５７は、第１電池当接部５４ａが一体に設けられた第１当接部材５４と、第２電池当接部５５ａが一体に設けられた第２当接部材５５と、電池ボックス３９の上面に設けられて第１当接部材５４と第２当接部材５５とを保持する保持部５８と、本体基部３８の遮光筒４４の下方に取り付けられて第１当接部材５４と第２当接部材５５とを下方に向けて付勢する板バネ５９とからなる。
【００２９】
図５に示すように、第１当接部材５４は、垂直方向に突出された前述の第１電池当接部５４ａと、カメラ２の背面側に向けて水平方向に配置された第１裏蓋当接部５４ｂと、垂直方向の長穴５４ｃが形成された第１スライド部５４ｄとからなる。保持部５８は、水平方向の断面が略Ｔ字形状となるように形成されており、カメラ２の幅方向に沿って水平方向に突出された第１ガイドピン５８ａを備えている。この第１ガイドピン５８ａは、第１スライド部５４ｄの長穴５４ｃに挿入されて、第１当接部材５４を上下方向でスライド自在となるように保持する。
【００３０】
電池ボックス３９の上面で、第１当接部材５４の第１電池当接部５４ａに対面する位置には、第１電池当接部５４ａを挿入して電池室３４内に突出させるための第１開口３９ａが形成されている。第１当接部材５４は、電池室３４内に第１電池当接部５４ａを突出させる突出位置と、第１電池当接部５４ａを電池室３４内から退避させる退避位置との間でスライド自在となる。
【００３１】
第２当接部材５５は、垂直方向に突出された前述の第２電池当接部５５ａと、カメラ２の背面側に向けて水平方向に配置された第２裏蓋当接部５５ｂと、第２電池当接部５５ａの上方に設けられ、保持部５８によって上下方向でスライド自在となるように保持される第２スライド部５５ｄとからなる。保持部５８には、第２スライド部５５ｄの垂直方向の長穴５５ｃに挿入される第２ガイドピン５８ｂが形成されている。
【００３２】
電池ボックス３９の上面で、第２当接部材５５の第２電池当接部５５ａに対面する位置には、第２電池当接部５５ａを挿入して電池室３４内に突出させるための第２開口３９ｂが形成されている。この第２当接部材５５も第１当接部材５４と同様に、電池室３４内に第２電池当接部５５ａを突出させる突出位置と、第２電池当接部５５ａを電池室３４内から退避させる退避位置との間でスライド自在となる。
【００３３】
図６（Ａ）及び図７（Ａ）は、電池室３４内に乾電池３２ａ，３２ｂが装填されていない時の第１当接部材５４及び第２当接部材５５の状態を示す要部断面図である。本体基部３８の前面には、本体基部３８に一体に形成したカシメピン６１によって板バネ５９が取り付けられている。また、第１当接部材５４及び第２当接部材５５の水平断面を表す図８に示すように、板バネ５９の下方には、第１当接部材５４及び第２当接部材５５の第１裏蓋当接部５４ｂ及び第２裏蓋当接部５５ｂをガイドするガイド片６２が複数形成されている。
【００３４】
板バネ５９の下方で、ガイド片６２の間には、背面側まで貫通された第１貫通穴６４ａ，第２貫通穴６４ｂが二つ形成されている。第１貫通穴６４ａは、突出位置にある第１当接部材５４の第１裏蓋当接部５４ｂに対面する位置にある。また、第２貫通穴６４ｂは、突出位置にある第２当接部材５５の第２裏蓋当接部５５ｂに対面する位置にある。これらの貫通穴６４ａ，６４ｂは、本体基部３８の背面に設けられた凹部４８内に設けられている。
【００３５】
裏蓋２６が閉じられた時に本体基部３８の凹部４８内に挿入される突条２６ｆには、上記第１貫通穴６４ａ，第２貫通穴６４ｂに挿入される第１当接ピン６６ａ，第２当接ピン６６ｂが一体に形成されている。裏蓋２６これらの当接ピン６６ａ，６６ｂが貫通穴６４ａ，６４ｂ内に挿入され、本体基部３８の前面側に突出されたときに、正常に閉じられるようになっている。そのため、第１当接部材５４と第２当接部材５５とのいずれか一方または両方が突出位置にあるときには、貫通穴６４ａ，６４ｂが第１裏蓋当接部５４ｂと第２裏蓋当接部５５ｂとによって塞がれている状態となるため、裏蓋２６を閉じることができなくなる。
【００３６】
これに対し、図６（Ｂ）及び図７（Ｂ）に示すように、乾電池３２ａ，３２ｂが電池室３４に装填されると、第１電池当接部５４ａと第２電池当接部５５ａとが乾電池３２ａ，３２ｂに押圧され、第１当接部材５４及び第２当接部材５５は板バネ５９の付勢に抗して上方の退避位置に移動する。これにより、第１裏蓋当接部５４ｂと第２裏蓋当接部５５ｂとが貫通穴６４ａ，６４ｂの上方に移動するので、当接ピン６６ａ，６６ｂが貫通穴６４ａ，６４ｂから突出可能となり、裏蓋２６が閉じられるようになる。
【００３７】
このように、本発明のカメラ２は、電池室３４に乾電池３２ａ，３２ｂが装填されていない時には、裏蓋２６を閉じることができないようになっているため、未使用のカメラ２に対して、フイルムパトローネ１８、乾電池３２ａ，３２ｂの順に装填が行なわれるのを防止することができる。また、例えば、電池室３４内に乾電池３２ａが１本だけ装填された場合にも、乾電池３２ｂに対応した第２当接部材５５の第２裏蓋当接部５５ｂが、第２当接ピン６６ｂの第２貫通穴６４ｂからの突出を阻止するため、裏蓋２６が閉じられることはない。
【００３８】
なお、カメラ２は、消耗を防ぐために電池室３４に乾電池３２ａ，３２ｂを装填しない状態で販売される。しかしながら、本発明のカメラ２は、電池室３４に乾電池３２ａ，３２ｂを装填しないと裏蓋２６を閉じることができない。そのため、製造後のカメラ２を販売時のパッケージで梱包する際には、電池室３４にダミーの乾電池を装填して裏蓋２６を閉じ、その後にダミーの乾電池を電池室３４から取り出してパッケージで梱包することになる。
【００３９】
図９は、回路基板４５の構成を示すブロック図である。回路基板４５には、カメラ２全体の動作を制御するマイクロコンピュータ６８と、フイルム給送機構６９の駆動源となる給送モータ７０を駆動させるドライバ回路７１と、ストロボ発光部６を発光させるストロボ回路７２と、シャッタスイッチ７３，シャッタチャージスイッチ７４，給送検出スイッチ７５，裏蓋スイッチ７６とが設けられている。
【００４０】
ドライバ回路７１には、マイクロコンピュータ６８から３種類のモータ駆動信号ＭＤ１〜ＭＤ３が入力されて制御される。ＭＤ１は、写真フイルム２２をパトローネ室２０からフイルムロール室２４へと給送（予備巻き処理）する方向に給送モータ７０を回転させる正転信号である。また、ＭＤ２は、写真フイルム２２をフイルムロール室２４からパトローネ室２０へと給送（リワインド処理及びコマ送り処理）する方向に給送モータ７０を回転させる逆転信号である。ＭＤ３は、回転中の給送モータ７０を停止させるブレーキ信号である。
【００４１】
ストロボ回路７２は、乾電池３２ａ，３２ｂから供給された電気を昇圧してコンデンサに充電し、シャッタレリーズに合わせてコンデンサを放電させて、ストロボ発光部６内の放電管に印加し、発光させる回路である。このストロボ回路７２は、ストロボ操作部材７の操作によってオン／オフされる充電スイッチによって作動される。
【００４２】
シャッタスイッチ７３は、シャッタボタン１１の操作に応じてオンし、マイクロコンピュータ６８にシャッタ信号（Ｓ１信号）を入力する。シャッタチャージスイッチ７４は、シャッタ機構がチャージ状態にあるときにオンしてマイクロコンピュータ６８にチャージ信号（ＳＨＣ信号）を入力する。給送検出スイッチ７５は、フイルム給送機構６９による写真フイルム２２の給送に連動してオン／オフを繰り返し、マイクロコンピュータ６８に給送信号（ＳＰＦ信号）を入力する。裏蓋スイッチ７６は、ロック操作部材２９がロック位置から解除位置に操作されたときにオンし、マイクロコンピュータ６８に裏蓋開放信号（ＳＢ信号）を入力する。
【００４３】
マイクロコンピュータ６８は、カメラ２の動作状態に応じてストロボ充電を禁止するストロボ充電禁止信号（ＦＩＮＨ信号）をストロボ回路７２に入力する。ストロボ回路７２は、このストロボ充電禁止信号がＨレベル（オン）の時に充電ができなくなり、Ｌレベル（オフ）の時に充電が可能となる。これは、「予備巻き処理」等の電力負荷が大きな処理時に、ストロボ充電が同時に行なわれて電力不足が生じるのを防止するためである。
【００４４】
周知のように、マイクロコンピュータ６８は、演算処理を行なうＣＰＵ６８ａと、このＣＰＵ６８ａを動作させるプログラムが記憶されたＲＯＭ６８ｂと、カメラ２の動作状態を表す状態データが適宜記憶されるＲＡＭ６８ｃとからなる。本実施形態で用いられるマイクロコンピュータ６８は、例えば、４ビットＣＰＵと数百バイト〜数キロバイト程度のＲＯＭ及びＲＡＭを内蔵した安価なものである。
【００４５】
ＲＡＭ６８ｃに記憶される状態データは、「初期状態」，「予備巻き中」，「コマ送り中」の３種類からなる。「初期状態」は、フイルムパトローネ１８が未装填、又はフイルムパトローネ１８が装填済みで「リワインド処理」が完了している状態を表す。また、乾電池３２ａ，３２ｂの交換や、出力電圧の低下、電気的なノイズの影響などによってマイクロコンピュータ６８がリセットされた時には、ＲＡＭ６８ｃ内の状態データは「初期状態」にセットされる。
【００４６】
「予備巻き中」は、フイルムパトローネ１８が装填済みで「予備巻き処理」の実行中であることを表す。また、「コマ送り中」は、フイルムパトローネ１８が装填済みで撮影途中であることを表す。ＣＰＵ６８ａは、カメラ２の動作状態に応じてＲＡＭ６８ｃの状態データを適宜書き換え、かつ参照することで、現在のカメラ２の動作状態を確認し、次に実行すべき処理の決定に用いる。
【００４７】
マイクロコンピュータ６８は、前述の各スイッチ７３〜７６や、状態データから得たカメラ２の動作状態に応じて、「初期処理」，「分岐処理」，「スタンバイ処理」，「レリーズ処理」，「予備巻き処理」，「コマ送り処理」，「リワインド処理」を実行する。
【００４８】
図１０のフローチャートに示すように、「初期処理」は、マイクロコンピュータ６８の起動時に実行される処理である。この「初期処理」では、マイクロコンピュータ６８の各ポートがセットされ、ＲＡＭ６８ｃが初期化される。このＲＡＭ６８ｃの初期化により、状態データは「初期状態」となる。次いで、裏蓋スイッチ７６とシャッタスイッチ７３の状態が確認され、「分岐処理」又は「コマ送り処理」が実行される。
【００４９】
図１１のフローチャートに示すように、「分岐処理」は、裏蓋スイッチ７６とシャッタスイッチ７３との状態と、状態データとをそれぞれ確認して、「スタンバイ処理」，「レリーズ処理」，「予備巻き処理」，「リワインド処理」のいずれかを選択的に実行させる処理である。
【００５０】
図１２のフローチャートに示すように、「スタンバイ処理」は、マイクロコンピュータ６８を低消費電力なスタンバイモードに移行させる処理である。カメラ２には電源スイッチが設けられてないため、不使用時のカメラ２はこのスタンバイモードで待機する。そして、シャッタボタン１１やロック操作部材２９が操作された時にスタンバイモードが解除され、再び「分岐処理」が実行される。「レリーズ処理」は、シャッタ機構のシャッタレリーズ動作の完了を確認して、フイルム給送機構に「コマ送り処理」を実行させる。
【００５１】
次に上記実施形態の作用について説明する。販売時のカメラ２は、消耗を防ぐために電池室３４に乾電池３２ａ，３２ｂが装填されていない。カメラ２に添付する説明書には、最初に乾電池３２ａ，３２ｂを装填した上で、フイルムパトローネ１８の装填を行なうことが記載されている。しかし、ユーザーによっては最初にフイルムパトローネ１８を装填し、次に乾電池３２ａ，３２ｂを装填する場合がある。
【００５２】
従来のカメラでは、「初期処理」時に裏蓋が閉じ位置にあると「コマ送り処理」が実行されていた。そのため、未使用のカメラのパトローネ室にフイルムパトローネを装填して裏蓋を閉じ、その後に電池室に乾電池を装填するという誤った準備操作を行なうと、乾電池の装填とともに「コマ送り処理」が実施され、パトローネから引き出されている写真フイルムのリーダー部分が全てパトローネ内に巻き込まれてしまい、使用不能となるという問題があった。
【００５３】
しかしながら、本発明のカメラ２は、図６（Ａ）及び図７（Ａ）に示すように、乾電池３２ａ，３２ｂが装填されていない状態では、第１当接部材５４及び第２当接部材５５の第１裏蓋当接部５４ｂ及び第２裏蓋当接部５５ｂが本体基部３８の貫通穴６４ａ，６４ｂを塞いでいるため、裏蓋２６の第１当接ピン６６ａ及び第２当接ピン６６ｂと、第１裏蓋当接部５４ｂ及び第２裏蓋当接部５５ｂとが当接して裏蓋２６を閉じることができない。これにより、フイルムパトローネ１８の装填後に乾電池３２ａ，３２ｂを装填しても、「初期処理」において「コマ送り処理」が実行されることはなく、「分岐処理」に移行することになる。これにより、「コマ送り処理」によってフイルムパトローネ１８が使用不能となることはない。
【００５４】
また、裏蓋２６が開放状態であるため、「分岐処理」において、「スタンバイ処理」，「レリーズ処理」，「予備巻き処理」，「リワインド処理」のいずれかが実行されることもない。これにより、裏蓋２６が開放された状態で写真フイルム２２がパトローネ２１から引き出されるような誤動作も発生しない。
【００５５】
「分岐処理」中に裏蓋２６が閉じられると、ＲＡＭ６８ｃ内の状態データが参照される。この時の状態データは「初期状態」であるため、「予備巻き処理」が実行される。この「予備巻き処理」では、フイルム巻取り軸５１の回転によりリーダー部２２ａがフイルム巻取り軸５１の外周に巻き付けられ、パトローネ２１内の写真フイルム２２が全てフイルムロール室２４内に巻き上げられる。その後、最初に撮影が行なわれるコマがアパーチャー２５に対面する撮影位置にセットされ、撮影準備が完了する。
【００５６】
撮影準備の完了後は、シャッタボタン１１を押圧操作することによって撮影が行なわれ、その際の「レリーズ処理」によって「コマ送り処理」が実行される。なお、撮影操作中に、乾電池３２ａ，３２ｂの消耗や、給送モータ７０の駆動による電圧低下、電気的なノイズ等によってマイクロコンピュータ６８がリセットされる場合がある。しかしながら、その際の「初期処理」では「コマ送り処理」が実行されるため、二重露光が発生することはない。
【００５７】
なお、上記実施形態は、最初に写真フイルムを全て巻き上げるプレワインド方式のカメラを例に説明したが、本発明は撮影毎に写真フイルムを巻き上げる一般的なワインド方式のカメラにも適用することができる。また、ＡＰＳ方式のフイルムカートリッジを使用するカメラにも利用することができる。
【図面の簡単な説明】
【００５８】
【図１】本発明を実施したカメラの外観形状を示す正面側斜視図である。
【図２】カメラの裏蓋開放状態を示す背面側斜視図である。
【図３】カメラの構成を示す分解斜視図である。
【図４】本体基部及び裏蓋閉鎖防止装置の構成を示す分解斜視図である。
【図５】裏蓋開放防止装置の構成を示す分解斜視図である。
【図６】第１当接部材の電池装填時及び不装填時の状態を示す要部断面図である。
【図７】第２当接部材の電池装填時及び不装填時の状態を示す要部断面図である。
【図８】第１当接部材及び第２当接部材の水平方向断面図である。
【図９】回路基板の構成を示すブロック図である。
【図１０】カメラの初期処理のフローチャートである。
【図１１】カメラの分岐処理のフローチャートである。
【図１２】カメラのスタンバイ処理のフローチャートである。
【符号の説明】
【００５９】
１    カメラ
１８  フイルムパトローネ
２０  パトローネ室
２４  フイルムロール室
２６  裏蓋
３２ａ，３２ｂ  乾電池
３４  電池室
３８  本体基部
５４  第１当接部材
５４ａ  第１電池当接部
５４ｂ  第１裏蓋当接部
５５  第２当接部材
５５ａ  第２電池当接部
５５ｂ  第２裏蓋当接部
５７  裏蓋閉鎖防止装置
５９  板バネ
６８  マイクロコンピュータ
【図１】
2005189419.tif 000003
【図２】
2005189419.tif 000004
【図３】
2005189419.tif 000005
【図４】
2005189419.tif 000006
【図５】
2005189419.tif 000007
【図６】
2005189419.tif 000008
【図７】
2005189419.tif 000009
【図８】
2005189419.tif 000010
【図９】
2005189419.tif 000011
【図１０】
2005189419.tif 000012
【図１１】
2005189419.tif 000013
【図１２】
2005189419.tif 000014